(57)【要約】【課題】  上流側での浮遊汚泥の下流側への送りを少なく抑えて下流側での浄化作用が促進されるようにするとともに下流側での沈降量を減らして掻き寄せ負荷が低減されるようにした汚泥掻寄装置を提供することを目的とする。【解決手段】  上流側一端にピットを備えた沈澱池内の前記ピット側と下流側である反ピット側とにそれぞれ池底寄りとなる低い位置にホイールが配設されるとともに、これら前後のホイール間には、プレート型やリンク型チェーンなどの循環連鎖材が循環駆動自在に掛け渡され、この循環連鎖材の外周には周方向に所定間隔をおいてフライトが取り付けられた汚泥掻寄装置であって、前記フライトは、ピット方向に前進する際には下向きに突出する掻き寄せ姿勢となる一方上回りでは伏倒姿勢となって戻るように構成されている。【選択図】図２
2015174084.tif 000002
【特許請求の範囲】
【請求項１】
上流側一端にピットを備えた沈澱池内の前記ピット側と下流側である反ピット側とにそれぞれ池底寄りとなる低い位置にホイールが配設されるとともに、これら前後のホイール間には、プレート型やリンク型チェーンなどの循環連鎖材が循環駆動自在に掛け渡され、この循環連鎖材の外周には周方向に所定間隔をおいてフライトが取り付けられた汚泥掻寄装置であって、前記フライトは、ピット方向に前進する際には下向きに突出する掻き寄せ姿勢となる一方上回りでは伏倒姿勢となって戻るように構成されている汚泥掻寄装置。
【発明の詳細な説明】
【技術分野】
【０００１】  この発明は、汚泥掻寄装置に関する。
【背景技術】
【０００２】  汚泥掻寄装置は、池底一端にピットを備えた矩形沈澱池の中に設置されて池底に堆積する汚泥を池底からピット側へと掻き寄せて落とし込むように構成されており、そうした装置の一般的なものとしてはチェーンフライト式のものがある。このチェーンフライト式のものは、沈澱池内の上流側に設けた駆動側のスプロケットと下流側に設けた従動側のスプロケットとを介して無端状にチェーンを巻回して周回運動可能とし、チェーンの外周に、互いに平行でかつ一定間隔を置くフライトの複数枚を配備して、これらフライトを池底に沿ってピット方向に前進させることで汚泥をピットまで掻き寄せるようにしてある。
そうしたチェーンフライト式の汚泥掻寄装置の一例として特許文献１に示すものがある。【０００３】
【特許文献１】  特開平３−２３８００６号
【発明の概要】
【発明が解決しようとする課題】
【０００４】  特許文献１で開示された技術は、沈澱池内に配設されたチェーンに所定間隔でフライトを取り付け、これにより池底に沈澱した汚泥をピットへ掻き寄せるように池内に架装された汚泥掻寄機に関するもので、フライトが浮上しない従来タイプのものとフライトが浮上する新規タイプの双方が記載されている。
いずれのタイプのフライトを有する汚泥掻寄機であれ、回転軸が４点配置された４軸駆動系とされ、フライトの動きが、池底に沿ってピット方向へ掻き寄せをする前進運動の他に、整流板からの整流沈降域内を上昇する上向き運動と、水面を境に浮上しつつ上流側から下流側へ移動して同時に浮上スカムをスカム除去装置の方向へ掻き寄せるようにする上回り水平運動、およびその末端から下流側でかつ池底側であるテーク軸側へ向けて下がりながら戻る復帰運動とでなっている。
こうした大きく上回りを経由して掻寄態勢に戻る形式にすると、上流側において沈降しようとする汚泥分を下流側にまで送り込むことになり、それだけピット方向への掻き寄せ量が増えて掻寄のための運転費用が嵩むこととなる。また、上回りに大きく経由する形式にすると、チェーンおよびフライトの総重量が大きくなり、それだけ掻寄のための運転費用が嵩むことになる。さらに、上回りに大きく経由する形式にすると、地震によりフライト付きチェーンが震動を受けながら運転されることになってフライト付きチェーンが駆動スプロケットから外れて脱線しやすくなり、運転停止を余儀なくされるおそれがある。
そうしたことを改善するには、スプロケット付きの回転軸をピット側のすぐ上位置と同様の高さである下流端側の２個所のみとしてこれら前後のみのスプロケット間に無端状のチェーンを掛け渡し、このチェーン外周にフライトを配備して池底での掻寄を終えると上回りを大きく経由せずに直ぐに下流端側のスプロケットへと水平に戻すように構成すればよいことが分った。ここでいうならば低層域循環方式とも称されるが同方式を採用すると、上記した諸問題はうまく解消される。
しかし、この低層域循環方式を、従来の上回りを循環する方式を踏襲したものとしてチェーンの外周にフライトを固定的に立てたままで周回するようにしておくと、フライトは低層域を下流方向に戻されるのでフライトによる下流方向への汚泥の送りはないかのようであるが、実際は低層域の少し上方域には完全に沈降し切れなく残された汚泥がもやもやと浮遊しながら滞留する傾向となっていることからそれらを立ち上がったままのフライトがゆっくりと下流方向へ送り寄せることになり、そうなると下流側には次第に浮遊汚泥が溜まる傾向となって下流域側での浄化作用が完全に得られなくなるおそれがあるとともに、その浮遊汚泥からの沈降汚泥が増えてピット方向への掻き寄せに負荷が増えることになる。【０００５】  この発明は上記問題を解決しようとするもので、上流側での浮遊汚泥の下流側への送りを少なく抑えて下流側での浄化作用が促進されるようにするとともに下流側での沈降量を減らして掻き寄せ負荷が低減されるようにした汚泥掻寄装置を提供することを目的とする。
【課題を解決するための手段】
【０００６】  この発明は上記目的を達成するため、請求項１に記載の発明は、上流側一端にピットを備えた沈澱池内の前記ピット側と下流側である反ピット側とにそれぞれ池底寄りとなる低い位置にホイールが配設されるとともに、これら前後のホイール間には、プレート型やリンク型チェーンなどの循環連鎖材が循環駆動自在に掛け渡され、この循環連鎖材の外周には周方向に所定間隔をおいてフライトが取り付けられた汚泥掻寄装置であって、前記フライトは、ピット方向に前進する際には下向きに突出する掻き寄せ姿勢となる一方上回りでは伏倒姿勢となって戻るように構成されている。
【発明の効果】
【０００７】  上述したように、請求項１に記載の発明は、上流側一端にピットを備えた沈澱池内の前記ピット側と下流側である反ピット側とにそれぞれ池底寄りとなる低い位置にホイールが配設されるとともに、これら前後のホイール間には、プレート型やリンク型チェーンなどの循環連鎖材が循環駆動自在に掛け渡され、この循環連鎖材の外周には周方向に所定間隔をおいてフライトが取り付けられた汚泥掻寄装置であって、前記フライトは、ピット方向に前進する際には下向きに突出する掻き寄せ姿勢となる一方上回りでは伏倒姿勢となって戻るように構成されているので、上流側での浮遊汚泥の下流側への送りを少なく抑えて下流側での浄化作用が促進されるようにするとともに下流側での沈降量を減らして掻き寄せ負荷が低減されるようにした汚泥掻寄装置を提供することができる。
【図面の簡単な説明】
【０００８】
【図１】  この発明の一実施形態を図２を上からみて示す装置平面図。
【図２】  図１のＩＩ−ＩＩ線断面図。
【図３】  図２のＩＩＩ−ＩＩＩ線断面図。
【図４】  他の実施形態を図５のＩＶ−ＩＶ線に対応して示す側断面図。
【図５】  図４のＶ−Ｖ線断面図。
【図６】  他の実施形態を図７のＶＩ−ＶＩ線に対応して示す側断面図。
【図７】  図６のＶＩＩ−ＶＩＩ線断面図。
【図８】  図７のフライト取付構造を示す斜視図。
【図９】  他の実施形態を正面からみて示す縦断面図。
【図１０】  他の実施形態を正面からみて示す縦断面図。
【図１１】  他の実施形態を正面からみて示す縦断面図。
【図１２】  他の実施形態を正面からみて示す縦断面図。
【図１３】  他の実施形態を正面からみて示す縦断面図。
【図１４】  他の実施形態を示す沈澱池の側断面図。
【図１５】  他の実施形態を示す沈澱池の側断面図。
【図１６】  他の実施形態を示す沈澱池の側断面図。
【図１７】  循環連鎖材としてリンクチェーンを採用した際の例を示す平面図。
【図１８】  リンクチェーンの他の例を示す平面図。
【図１９】  リンクチェーンの他の例を示す平面図。
【図２０】  他の実施形態を示す沈澱池の側断面図。
【発明を実施するための形態】
【０００９】  以下、この発明の一実施形態を図１ないし図３に従って説明する。これらの図において１は矩形沈澱池で、図１および図２において左側が上流側で右側が下流側であり、２は上流側の端壁、３は下流側の端壁、４は矩形の長辺側である左右の側壁、５は図２において上流側へ向けてきわめて緩徐に下がり傾斜する池底、６は池底５の上流側一端に形成した（汚泥）ピットを示している。
【００１０】  さらに７は上流端の多孔状整流板で、この多孔を通じて図１および図２の右方向に汚水が整流化されて緩徐に流れ込むようになっている。９はピット６内に回収された汚泥を水とともに吸い込んで次の処理槽に導くためのポンプに接続した吸揚パイプ、１０は水面１１に設置されて浮遊してくるスカムを堰１０ａの定期的下げ運動により多少の水とともに呑み込んでそれらをスカムピットを通じて外部に排出するためのスカム除去装置、１２は下流側の水面に設置された越流堰である。１３は池底５に一部突出状に既設あるいは新設される左右一対の（池底）ガイドレールである。
【００１１】  低層域循環方式のチェーンフライト式汚泥掻寄装置は、ピット６側のピット６より少し上方高さ位置と下流側である反ピット側である端壁３手前の池底５より少し上方高さ位置のそれぞれにブラケット１５を介して左右一対の軸受１６を固定配備し、これら軸受１６間に前後の回転軸１７を装架するとともに、これら前側（上流側）の回転軸１７周りには左右一対の駆動スプロケット（ホイール）１８が、また後側（下流側）の回転軸１７周りには左右一対の従動スプロケット（ホイール）１９が同調回転可能に取り付けられている。各スプロケット１８，１９は、プレートチェーン用のスプロケットとされているが、リンクチェーン用のスプロケットとすることがある。
【００１２】  前側の回転軸１７周りには、池上の減速機付きモーターである駆動源２１に設けたドライブスプロケット２２からの低速動力がチェーン２３を介して伝達されるドリブンスプロケット２４が取り付けられている。これにより、前側の駆動スプロケット１８は、図２の矢印のように時計周りの方向に微速で回転駆動され、後側の従動スプロケット１９も同一方向に回転駆動される。そのため、駆動スプロケット１８と従動スプロケット１９との間には、左右一対となるようにプレートチェーンであるチェーン（循環連鎖材）２５，２５が同調回転可能に掛け渡されている。これらのチェーン２５のうち周方向に一定間隔離れたチェーンプレートには、横架材２６を介してフライト２７…が取り付けられ、軸２８を介して前後に揺動可能な形で取り付けられている。
【００１３】  フライト２７は、水中に沈む材料であるため下回りにおいて垂直に下がった姿勢で汚泥を掻き寄せて進むようになっている。同フライト２７は、駆動スプロケット１８から上回りにはいる時点でその重量により自動的に後向きに倒れた形になって戻る（復帰する）ようになっている。上回りにくるフライト２７の重さは上回りのチェーン２５に押下げながら常に緊張を与え、その結果、この装置にはチェーン緊張調節装置は不要となる。しかし、移動調節に不向きな後側（下流側）でなく前側の回転軸１７の側を端壁２の方向に移動調節することで張力調節可能にすることは可能である。
【００１４】  尚、下流側の端にきたフライト２７はそのまま従動スプロケット１９周りに９０度以上回転するとその後一気に反転してしまうことにもなるが、図１および図２に示すように従動スプロケット１９に接近して対向する形の湾曲状ガイド２９を設けておくことによりフライト２７はゆるやかに回転して掻寄姿勢に切換られるようになる。ガイド２９は、フライト２７の高さを基準にすれば従動スプロケット１９の外周に対して該高さの１／３→１／２→１／１となるように最初はフライト２７に回転を許さない状態から次第に回転を許す状態へと変化させるように間隔を広げる関係にしてある。このガイド２９の制御によりフライト２７は急反転するようなことがなくゆっくりと反転してゆくので、反転による汚泥の巻揚げが防止されるとともにフライト２７を支持する軸２８やチェーン２５その他の循環駆動系に駆動上の負荷がかからないようになる。
【００１５】  前記フライト２７には、図３に示すように、ガイドレール１３上を摺動するシュー３０が装着されてフライト２７を幅方向の移動を一定に規制しながら案内するようにしてあるが、同図右下欄に示すように、走行ローラー３１を付して摺動なく円滑な回転により案内できるようにしてもよい。
【００１６】  フライト２７は、沈澱池１内を低層域循環方式として運動する上に上回りで伏倒して低い姿勢を保ちながら復帰するようになっているので、図２に示すようなふわふわとした浮遊汚泥Ｘが存在してもそれを下流方向に掻き送るようなおそれがなく、従って、下流域での水質も良くなり、沈降物も少なくなってピット方向への掻き寄せ負荷も少なくて済むようになる。
【００１７】  尚、スプロケット１８，１９は左右に分離独立したタイプとされていたが、図３に仮想線で示すように、一体つなぎタイプにしてもよい。前記フライト２７は、基部側が軽く先端側が重くなるようにして掻寄能力を確保した上でより軽量化を図るようにしてもよい。
前記フライト２７は重さで掻寄姿勢となるようにしてあったが、図２の下欄に示すように、チェーン２５自体の突片やチェーン２５に取り付けた横架材２６のヒンジ部分にストッパ３３を設けてフライト２７を掻寄姿勢とするとともに上回りでは前倒れして伏倒するように構成してもよい。
【００１８】  図４および図５は他の実施形態を示す。この実施形態は、駆動スプロケット１８（従動スプロケット１９）を回転軸１７の幅間中央のみの単一枚として構造の簡略化を図ったもので、上回りのフライト２７の安定化を図るため、支持軸３５を複数本横架しその軸上に左右のブラケット３６を介してフライトガイド３７を配備してフライト２７を下から受けて摺動させるようにしてある。
【００１９】  図６ないし図８は他の実施形態を示す。この実施形態は、駆動スプロケット１８（従動スプロケット１９）を池幅方向中央の単一枚型あるいは図３のような左右一対型として、循環運動するようにし、特に、フライト２７は、丸パイプあるいは丸ロッド製により横軸回りに長円軌道型とした左右一対の周回ガイドリング４０にフライト２７側のシュー４１を摺動させる形で周回案内させるようにしてある。チェーン２５のうちフライト２７を取り付けるものは、図７および図８に示すように、少し高い取付台２５ａにしてブラケット４２を介してフライト２７に連結し、周回ガイドリング４０は、連結板４４や筋交い４５などをその内部に備えたものとして、側壁４，４間に装架した複数本の横架バー４６，４６に連結板４４を取り付けることで横軸周りに左右一対の長円軌道を形成するように配備されている。
【００２０】  シュー４１は、図７の上欄に拡大して示すように、フライト２７に取り付けるためのＬ形の基部ブラケット４１ａとその先端に一体化された１／４円弧の抱込み部４１ｂとで一方が形成されそれらの左右一対を１組として周回ガイドリング４０を抜けないように抱き込むように構成する。
前記周回ガイドリング４０の長円軌道は、チェーン２５の長円軌道よりは少し大き目の軌道になっているが同じ寸法の軌道にしてもよい。尚、シュー４１には小さい走行ローラーを付けて円滑にガイドするようにしてもよい。また、図７に示すように、シュー４１およびブラケット４２に連結されるものとして共通バー４７を備え、これを支持役としてヒンジ４８を介してフライト２７を回転自在に支持することにより図６のようにフライト２７が上回りにおいて付倒するように構成してもよい。
【００２１】  図９ないし図１１は周回ガイドリングについての他の実施形態を示す。これらの図において示すＯはフライト２７の幅間中央ラインである。
図９に示す周回ガイドリング５０は断面が四角パイプをしたもので、合わせ型のシュー５１もこの四角パイプを抱き囲む形態となっている。この実施形態ではスプロケット１８，１９は中央線上に単一個であるが図１０のように左右一対のタイプにしてもよい。５２はシュー５１に設けられた走行ローラーである。
【００２２】  図１０に示すスプロケット１８，１９は左右一対設けられているが、図９のように中央単一個タイプでもよい。周回ガイドリング５５は四角で斜め９０度傾斜させたものとし、シュー５６もそれに併せた形としてある。５７は走行ローラーである。
【００２３】  図１１に示す周回ガイドリング６０は三角パイプのもので、シュー６１もそれに併せた合わせ型にしてある。この周回ガイドリング６０は、右下欄のようにアングル材を使用してもよい。
【００２４】  図１２に示す実施形態は、スプロケット１８，１９が中央に単一枚でしかも周回ガイドリング６３も単一本（モノレール）とされ、シュー６４もフライト２７の幅間中央に配置されている。
【００２５】  図１３に示す実施形態は、スプロケット１８，１９が中央に単一枚でしかも周回ガイドリング６６が単一本（モノレール）であって特に四角パイプで造られている。６７は走行ローラーで、チェーン２５の取付ブラケット２５ａに取り付けられている。尚、同図右欄に示すように、周回ガイドリング６６は、本体側ａとそれに進退できる調節体側ｂとで構成してチェーン２５の張力を調整可能に構成してもよい。
【００２６】  図１４は他の実施形態を示し、同実施形態は、チェーンフライト式で特に低層域循環方式の汚泥掻寄装置Ａを採用して浮遊汚泥Ｘを下流方向に掻き送らないようにしたものとするとともに、浮上するスカムについての対策として、スカム除去装置１０の水面１１以下に、前後の軸７０とスプロケット７１とを配備し、前側のスプロケット７１を駆動源２１のドライブスプロケット２２とチェーン２３により軸７０周りのドリブンスプロケット２４を回転駆動するようにして左右一対のスカム用チェーン７２を図の右周りに周回駆動するようにする。そして、スカム用チェーン７２は下回りにおいて垂れ下がり上回りにおいてガイドレールなどで水平に進行するようにするとともに、このチェーン７２の外周にはスカムフライト（スクレーパ）７３を複数配備して下回りを通るときに浮遊汚泥Ｘを上流側へ掻き戻しまた上回りにおいては水面１１に浮遊するスカムを掻き寄せてスカム除去装置１０まで送り込むようにしてある。ドリブンスプロケット２４と汚泥掻寄装置Ａ側のドリブンスプロケット２４とは連結チェーン７４で連動自在としてある。
尚、汚泥排除用のポンプの吸揚パイプ９には絞りを設けてその内部に連通する関係で吸引パイプ７５を挿通してポンプ９の運転時の負圧吸引力を利用して浮遊汚泥Ｘを同時吸引して吸揚パイプ９を通じて排除するようにしてある。
【００２７】  図１５は他の実施形態を示す。同実施形態は、浮遊汚泥Ｘを掻き戻すとともに浮遊スカムをスカム除去装置側へ送る別の実施形態を示す。７８は前後の軸、７９はスプロケット、８０はスカムチェーンを示し、スカムチェーン８０の外周に設けた基部フライト８１には外周フライト８２を回転自在に備えてある。これにより、下回りでは外周フライト８２が垂れ下がって浮遊汚泥Ｘを掻き、上回りでは基部フライト８１がスカムを掻き寄せるように機能するものである。
尚、外周フライト８２は、上回りにおいて基部フライト８１の後側に反転して重なるようになっていて下回りで掻き寄せた浮遊汚泥Ｘが面上に付着滞留していてもそれらを反転運動時に下向きに排除できるようになっているが、外周フライト８２は、図１５に破線８２（ａ）で示すように、基部フライト８１に対して９０度程度反転した角度でストッパにより停止するような構成にしてもよい。
【００２８】  図１６は他の実施形態を示し、同実施形態は、図１ないし図３に示す低層域循環方式の汚泥掻寄装置Ａと同様の装置を装備した沈澱池１であって、その沈降をできるだけ上流側において行えるようにするため、装置Ａの上流側の上方に前後複数本をなして垂下支持バー８５…を横架し、これら各バー８５には沈降促進材８６を垂れ下げて沈降を促すようにしてある。沈降促進材８６は、リンクチェーンやメッシュのようなものとする。図示のように沈降促進材８６は下流側から上流側へ向けて前後間隔が次第に狭くなるようにしておけばより上流側において沈降が促進されることになる。また、沈降促進材８６…の下部を浮遊汚泥Ｘが発生する領域に臨むようにしておくことで同促進材８６…から沈降してきたものが浮遊汚泥Ｘの領域を越えて沈降するようになって浮遊汚泥Ｘの発生を抑制することができるようになる。
【００２９】  図１７の実施形態は、循環連鎖材を１本（あるいは２本）のリンクチェーン８８とした場合に、そのチェーン８８とフライト２７の取付方を示す平面図である。チェーン８８のうち一定の前後間隔を置く特定のものは、フライト２７取付用の特殊シャックル８９として取付片ａを両翼にし本体部分をＵ字形とする前後一対のシャックル体８９ａ、８９ａで構成し、これら両シャックル体８９ａ、８９ａを止着具９０で前後から止め付けるに当たって、フライト２７上の突片２７ａ、２７ａを挟んで共締め固定することでフライト２７を取り付けるようにする。上記リンクチェーン８８は他の実施形態でも適用できる。リンクチェーン８８が一対の場合も図示のものを対称的に配備して構成する。
【００３０】  図１８はリンクチェーン（循環連鎖材）９２を１本あるいは２本としそれにフライト２７を取り付ける場合の他の例を示す。チェーン９２のうち一定の前後間隔を置く特定のものは、フライト２７取付用の特殊ジョイント９３として、四角板状で斜め向きとした孔付き本体９３ａと、この本体９３ａに一体に突設された取付板部９３ｂとで構成し、前記孔には前後のリンクを連結する一方、取付板部９３ｂには突片２７ａと止着具９０を介してフライト２７を取り付けるようにしたものである。リンクチェーン８８が一対の場合も図示のものを対称的に配備して構成する。
【００３１】  図１９はリンクチェーン（循環連鎖材）９６を２本としそれらに突片２７ａを備えることでフライト２７を取り付けるようにした他の例を示す。チェーン９６のうち一定の前後間隔を置く特定のものは、フライト２７取付用の特殊シャックル９７として、前後一対のＵ字形部とその一端同士を結ぶつなぎ部とでなる本体９７ａに前後一対をなして伸びた取付片９７ｂを設けて構成し、これら両シャックル体９７を止着具９０で前後から止め付けるに当たって、フライト２７上の突片２７ａ、２７ａを挟んで共締め固定することでフライト２７を取り付けるようにする。
【００３２】  図２０に示す実施形態は、低層域循環方式の汚泥掻寄装置Ａそれ自体により浮遊汚泥Ｘの沈降を促進するようにしたものである。１００は駆動スプロケット、１０１は前スプロケット、１０２は後スプロケットで、これらに掛けられたチェーン１０３にフライト１０４を配備して下回りにおいてピット６方向に掻き寄せ運動をし上回りにおいて後である下流側へ戻される（復帰する）ように構成したもので、特に、フライト１０４は、掻寄時に前下がり状になる一方戻り（復帰）時には後へ向けて持ち上がった状態になるようにしてある結果、フライト１０４が復帰運動をするに連れて破線矢印のように浮遊汚泥Ｘを下向きでかつ上流方向に流す形になって池底への沈降を促進するようにしたものである。フライト１０４の復帰初期の角度を伏して流れを起こしやすくするため駆動スプロケット１００を上方に配置してチェーン１０３が上から角度をもって下がるように角度調整してある。また、流れを規定するため、該流れが通るチェーン１０３の軌道内域には複数枚の制御案内板１０５…を配備してある。
【符号の説明】
【００３３】    １…沈澱池  ５…池底  ６…ピット  ７…整流板  １７…回転軸  １８，１９…スプロケット（ホイール）  ２１…駆動源  ２５…チェーン（循環連鎖材）  ２７…フライト。
【図１】
2015174084.tif 000003
【図２】
2015174084.tif 000004
【図３】
2015174084.tif 000005
【図４】
2015174084.tif 000006
【図５】
2015174084.tif 000007
【図６】
2015174084.tif 000008
【図７】
2015174084.tif 000009
【図８】
2015174084.tif 000010
【図９】
2015174084.tif 000011
【図１０】
2015174084.tif 000012
【図１１】
2015174084.tif 000013
【図１２】
2015174084.tif 000014
【図１３】
2015174084.tif 000015
【図１４】
2015174084.tif 000016
【図１５】
2015174084.tif 000017
【図１６】
2015174084.tif 000018
【図１７】
2015174084.tif 000019
【図１８】
2015174084.tif 000020
【図１９】
2015174084.tif 000021
【図２０】
2015174084.tif 000022